【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
ユーザ機器、ＵＥ、を接続するための方法であって、
前記ＵＥとの異なるデバイスの接続を監視することと、
異なるデバイスとの対話および接続に関する履歴情報を取得するために時間をかけて前記異なるデバイスの前記接続を相関付けることと、
前記相関に基づいて、モバイルコンピューティング環境、ＭＣＥ、を決定することと、
前記ＭＣＥと関連付けられる情報を記憶することとを備える、方法。
【請求項２】
前記異なるデバイスの少なくとも１つの識別に基づいて、既知のＭＣＥを自動的に検出することと、
前記記憶された情報に基づいて、前記異なるデバイスの１つまたは複数との接続を自動的に再確立して、前記ＭＣＥを再確立することとをさらに備える、請求項１に記載の方法。
【請求項３】
前記再確立されたＭＣＥに基づいて、前記ＵＥ上の少なくとも１つのＲＦデバイスを無効にすることをさらに備える、請求項２に記載の方法。
【請求項４】
前記異なるデバイスの少なくとも１つの前記識別が、前記異なるデバイスのＭＡＣアドレス、デバイスＩＤ、ブルートゥース（登録商標）デバイスアドレス、ネットワークＳＳＩＤ、ＩＰアドレス、またはセルタワーアドレスに基づく、請求項２に記載の方法。
【請求項５】
前記相関付けることが、
前記異なるデバイスとの前記接続に関する履歴情報を取得することをさらに備える、請求項１に記載の方法。
【請求項６】
前記異なるデバイスの少なくとも２つが、前記異なるデバイスの別のデバイスとは異なるワイヤレス技術を使用して前記ＵＥと通信する、請求項１に記載の方法。
【請求項７】
ＧＰＳ位置および／または他の位置ベースのサービスに基づいて前記ＭＣＥを決定することをさらに備える、請求項１に記載の方法。
【請求項８】
ユーザ機器、ＵＥ、を接続するための装置であって、
前記ＵＥとの異なるデバイスの接続を監視するための手段と、
異なるデバイスとの対話および接続に関する履歴情報を取得するために時間をかけて前記異なるデバイスの前記接続を相関付けるための手段と、
前記相関に基づいて、モバイルコンピューティング環境、ＭＣＥ、を決定するための手段と、
前記ＭＣＥと関連付けられる情報を記憶するための手段とを備える、装置。
【請求項９】
前記異なるデバイスの少なくとも１つの識別に基づいて、既知のＭＣＥを自動的に検出するための手段と、
前記記憶された情報に基づいて、前記異なるデバイスの１つまたは複数との接続を自動的に再確立して、前記ＭＣＥを再確立するための手段とをさらに備える、請求項８に記載の装置。
【請求項１０】
前記再確立されたＭＣＥに基づいて、前記ＵＥ上の少なくとも１つのＲＦデバイスを無効にするための手段をさらに備える、請求項９に記載の装置。
【請求項１１】
前記異なるデバイスの少なくとも１つの前記識別が、前記異なるデバイスのＭＡＣアドレス、デバイスＩＤ、ブルートゥースデバイスアドレス、ネットワークＳＳＩＤ、ＩＰアドレス、またはセルタワーアドレスに基づく、請求項９に記載の装置。
【請求項１２】
相関付けるための前記手段が、
前記異なるデバイスとの前記接続に関する履歴情報を取得するための手段を備える、請求項８に記載の装置。
【請求項１３】
前記異なるデバイスの少なくとも２つが、前記異なるデバイスの別のデバイスとは異なるワイヤレス技術を使用して前記ＵＥと通信する、請求項８に記載の装置。
【請求項１４】
ＧＰＳ位置および／または他の位置ベースのサービスに基づいて前記ＭＣＥを決定するための手段をさらに備える、請求項８に記載の装置。
【請求項１５】
請求項１乃至７のうちの任意の１つにしたがってコンピュータに方法を実行させる命令を記憶した、コンピュータ可読記憶媒体。
【手続補正２】
【補正対象書類名】明細書
【補正対象項目名】００８１
【補正方法】変更
【補正の内容】
【００８１】
[0090]上記の開示は本発明の例示的な実施形態を示すが、添付の特許請求の範囲によって規定される本発明の範囲から逸脱することなく本明細書において異なる変更および修正が行われ得ることに留意されたい。本明細書で説明された本発明の実施形態による方法クレームの機能、ステップおよび／または動作は、特定の順序で実行される必要はない。さらに、本発明の要素は、単数形で説明または特許請求されていることがあるが、単数形に限定することが明示的に述べられていない限り、複数形が企図される。
以下に、本願出願の当初の特許請求の範囲に記載された発明を付記する。
［Ｃ１］  ユーザ機器（ＵＥ）を接続するための方法であって、
前記ＵＥとの異なるデバイスの接続を監視することと、
前記異なるデバイスの前記接続を相関付けることと、
前記相関に基づいて、モバイルコンピューティング環境（ＭＣＥ）を決定することと、
前記ＭＣＥと関連付けられる情報を記憶することとを備える、方法。
［Ｃ２］  前記異なるデバイスの少なくとも１つの識別に基づいて、既知のＭＣＥを自動的に検出することと、
前記記憶された情報に基づいて、前記異なるデバイスの１つまたは複数との接続を自動的に再確立して、前記ＭＣＥを再確立することとをさらに備える、Ｃ１に記載の方法。
［Ｃ３］  前記再確立されたＭＣＥに基づいて、前記ＵＥ上の少なくとも１つのＲＦデバイスを無効にすることをさらに備える、Ｃ２に記載の方法。
［Ｃ４］  前記異なるデバイスの少なくとも１つの前記識別が、前記異なるデバイスのＭＡＣアドレス、デバイスＩＤ、ブルートゥースデバイスアドレス、ネットワークＳＳＩＤ、ＩＰアドレス、またはセルタワーアドレスに基づく、Ｃ２に記載の方法。
［Ｃ５］  前記相関付けることが、
前記異なるデバイスとの前記接続に関する履歴情報を取得することをさらに備える、Ｃ１に記載の方法。
［Ｃ６］  前記異なるデバイスの少なくとも２つが、前記異なるデバイスの別のデバイスとは異なるワイヤレス技術を使用して前記ＵＥと通信する、Ｃ１に記載の方法。
［Ｃ７］  ＧＰＳ位置および／または他の位置ベースのサービスに基づいて前記ＭＣＥを決定することをさらに備える、Ｃ１に記載の方法。
［Ｃ８］  ユーザ機器（ＵＥ）であって、
前記ＵＥとの異なるデバイスの接続を監視するように構成される論理回路と、
前記異なるデバイスの前記接続を相関付けるように構成される論理回路と、
前記相関に基づいて、モバイルコンピューティング環境（ＭＣＥ）を決定するように構成される論理回路と、
前記ＭＣＥと関連付けられる情報を記憶するように構成されるメモリとを備える、ユーザ機器（ＵＥ）。
［Ｃ９］  前記異なるデバイスの少なくとも１つの識別に基づいて、既知のＭＣＥを自動的に検出するように構成される論理回路と、
前記記憶された情報に基づいて、前記異なるデバイスの１つまたは複数との接続を自動的に再確立して、前記ＭＣＥを再確立するように構成される論理回路とをさらに備える、Ｃ８に記載のＵＥ。
［Ｃ１０］  前記再確立されたＭＣＥに基づいて、前記ＵＥ上の少なくとも１つのＲＦデバイスを無効にするように構成される論理回路をさらに備える、Ｃ９に記載のＵＥ。
［Ｃ１１］  前記異なるデバイスの少なくとも１つの前記識別が、前記異なるデバイスのＭＡＣアドレス、デバイスＩＤ、ブルートゥースデバイスアドレス、ネットワークＳＳＩＤ、ＩＰアドレス、またはセルタワーアドレスに基づく、Ｃ９に記載のＵＥ。
［Ｃ１２］  前記相関付ける論理回路が、
前記異なるデバイスとの前記接続に関する履歴情報を取得するように構成される論理回路を備える、Ｃ８に記載のＵＥ。
［Ｃ１３］  前記異なるデバイスの少なくとも２つが、前記異なるデバイスの別のデバイスとは異なるワイヤレス技術を使用して前記ＵＥと通信する、Ｃ８に記載のＵＥ。
［Ｃ１４］  ＧＰＳ位置および／または他の位置ベースのサービスに基づいて前記ＭＣＥを決定するように構成される論理回路をさらに備える、Ｃ８に記載のＵＥ。
［Ｃ１５］  ユーザ機器（ＵＥ）を接続するための装置であって、
前記ＵＥとの異なるデバイスの接続を監視するための手段と、
前記異なるデバイスの前記接続を相関付けるための手段と、
前記相関に基づいて、モバイルコンピューティング環境（ＭＣＥ）を決定するための手段と、
前記ＭＣＥと関連付けられる情報を記憶するための手段とを備える、装置。
［Ｃ１６］  前記異なるデバイスの少なくとも１つの識別に基づいて、既知のＭＣＥを自動的に検出するための手段と、
前記記憶された情報に基づいて、前記異なるデバイスの１つまたは複数との接続を自動的に再確立して、前記ＭＣＥを再確立するための手段とをさらに備える、Ｃ１５に記載の装置。
［Ｃ１７］  前記再確立されたＭＣＥに基づいて、前記ＵＥ上の少なくとも１つのＲＦデバイスを無効にするための手段をさらに備える、Ｃ１６に記載の装置。
［Ｃ１８］  前記異なるデバイスの少なくとも１つの前記識別が、前記異なるデバイスのＭＡＣアドレス、デバイスＩＤ、ブルートゥースデバイスアドレス、ネットワークＳＳＩＤ、ＩＰアドレス、またはセルタワーアドレスに基づく、Ｃ１６に記載の装置。
［Ｃ１９］  相関付けるための前記手段が、
前記異なるデバイスとの前記接続に関する履歴情報を取得するための手段を備える、Ｃ１５に記載の装置。
［Ｃ２０］  前記異なるデバイスの少なくとも２つが、前記異なるデバイスの別のデバイスとは異なるワイヤレス技術を使用して前記ＵＥと通信する、Ｃ１５に記載の装置。
［Ｃ２１］  ＧＰＳ位置および／または他の位置ベースのサービスに基づいて前記ＭＣＥを決定するための手段をさらに備える、Ｃ１５に記載の装置。
［Ｃ２２］  少なくとも１つのプロセッサによって実行されると、前記少なくとも１つのプロセッサにユーザ機器（ＵＥ）を接続するための動作を実行させる、記憶された命令を含む非一時的コンピュータ可読記憶媒体であって、前記命令が、
前記ＵＥとの異なるデバイスの接続を監視するための命令と、
前記異なるデバイスの前記接続を相関付けるための命令と、
前記相関に基づいて、モバイルコンピューティング環境（ＭＣＥ）を決定するための命令と、
前記ＭＣＥと関連付けられる情報を記憶するための命令とを備える、非一時的コンピュータ可読記憶媒体。
［Ｃ２３］  前記異なるデバイスの少なくとも１つの識別に基づいて、既知のＭＣＥを自動的に検出するための命令と、
前記記憶された情報に基づいて、前記異なるデバイスの１つまたは複数との接続を自動的に再確立して、前記ＭＣＥを再確立するための命令とをさらに備える、Ｃ２２に記載の非一時的コンピュータ可読記憶媒体。
［Ｃ２４］  前記再確立されたＭＣＥに基づいて、前記ＵＥ上の少なくとも１つのＲＦデバイスを無効にするため命令をさらに備える、Ｃ２３に記載の非一時的コンピュータ可読記憶媒体。
［Ｃ２５］  相関付けるための前記命令が、
前記異なるデバイスとの対話および前記接続に関する履歴情報を取得するための命令を備える、Ｃ２２に記載の非一時的コンピュータ可読記憶媒体。
［Ｃ２６］  ＧＰＳ位置および／または他の位置ベースのサービスに基づいて前記ＭＣＥを決定するための命令をさらに備える、Ｃ２２に記載の非一時的コンピュータ可読記憶媒体。